(57)【要約】【課題】  とじ具の製作、とじ具の装着が容易であると共に迅速にでき、しかも軽量化、簡略化をもって経済的に作ることができるファイル類を提供する。【解決手段】  とじ具（４）を腰のあるプラスチック材で形成する。とじ具（４）は基板部（８）より起立するリング部（１３）を備え、そのリング部（１３）の両端部につめ部（１１）を設け、このつめ部（１１）を介してリング部（１３）をリング部挿入孔（１４）に挿入してリング部（１３）の両端部とリング部挿入孔（１４）の両端部を係合状態にする。そのとじ具（４）をファイル本体（２）のとじ具取付部（３）に溶着する。【選択図】        図１
2006007644.tif 000002
【特許請求の範囲】
【請求項１】
腰のあるプラスチック材で形成したとじ具を有し、このとじ具は基板部より起立するリング部を備え、このリング部の両端部又はファイル本体のとじ具取付部に形成したリング部挿入孔の両端部のいずれか一方につめ部を設け、そのリング部をリング部挿入孔に挿入した際にそのつめ部を介してリング部の両端部とリング部挿入孔の両端部を係合状態としてとじ具をファイル本体のとじ具取付部に装着したことを特徴とするファイル類。
【請求項２】
とじ具は対向状に形成した基板部と、この基板部間に渡したリング部相当部と、このリング部相当部の両端部に相応する基板部の部位に形成した切込み部と、そのリング部相当部の両端部に設けたつめ部を有する板状体を備え、そのリング部相当部を起立状態にしてリング部を形成するようにした請求項１に記載のファイル類。
【請求項３】
とじ具をファイル本体のとじ具取付部に溶着又は接着した請求項１または２に記載のファイル類。
【請求項４】
ファイル本体の裏表紙側にとじ具を装着し、表表紙側にとじ具のリング部を挿入する溝とその溝内に突出する突部を有する表表紙止めを設けた請求項１〜３のいずれかに記載のファイル類。
【請求項５】
とじ具とファイル本体の背表紙の外面を被いその外面との間に見出し部片が挿入可能なカバーを設けた請求項１〜４のいずれかに記載のファイル類。
【発明の詳細な説明】
【技術分野】
【０００１】
本発明は、クリアポケットやファイル用紙等を綴じるとじ具をファイルやバインダー等に簡便に装着することができる軽量で経済的なファイル類に関する。
【背景技術】
【０００２】
クリアポケットやファイル用紙を綴るものとして、リングファイルやルーズリーフバインダー等が知られている。
また、一方、これらのクリアポケットやファイル用紙を綴る綴り部の形態として、綴り用の孔が複数形成されているもの及び綴り孔とこの孔とから紙端まで延びるスリットが形成されているものが知られている。
【０００３】
これらのクリアポケット等は、ファイル等に取り付けられたとじ具によって綴られている。
上記とじ具は、金属やプラスチック材を用いこれを射出成形やプレス加工等によって製作されているが、このとじ具は複雑な構造になっているので金型代が嵩み、また製作工程も多く不経済であった。
【０００４】
更に、とじ具を金属で形成した場合、プラスチック製に比べ重いものとなっており、またファイルが不要となり廃棄するような場合、とじ具をファイル本体から取り外してゴミ出しをしなければならず面倒でもあった。
【０００５】
しかも、これらのとじ具は、ファイル等にかしめることによって装着しているので、装着の際にとじ具を正確な位置に位置付けするためにとじ具を手で押さえたり、治具等を用いて押さえる必要があった。
【特許文献１】特開平１１−１２３８９０号公報
【発明の開示】
【発明が解決しようとする課題】
【０００６】
本発明は、これらの従来の問題点を解消し、かつ更なる改善を図ろうとするものであって、とじ具の製作、とじ具の装着が容易であると共に迅速にでき、しかも軽量化、簡略化をもって経済的に作ることができるファイル類を提供しようとするものである。
【課題を解決するための手段】
【０００７】
本発明は、とじ具を腰のあるプラスチック材で形成し、とじ具に基板部より起立するリング部を設け、そのリング部の両端部又はファイル本体に形成したリング部挿入孔の両端部につめ部を設け、このつめ部を介してリング部をリング部挿入孔に挿入した際にリング部の両端部とリング部挿入孔の両端部を係合状態にしてとじ具をファイル本体に装着するようにしたものである。
なお、その装着の際に、更にとじ具をファイル本体のとじ具取付部に溶着したり、接着したりすることができる。
【０００８】
また、とじ具を形成する際に、プラスチック板材を切り抜いて対向状に配置する基板部と、この基板部間に渡るリング部相当部と、リング部相当部の両端部を形成する基板部への切込み部と、そのリング部相当部の両端部に設けたつめ部を有する板状体を形成し、このリング部相当部を起立状態に形成することによってリング部を有するとじ具を形成するようにしたものである。
【０００９】
更に、とじ具を裏表紙側に装着し、表表紙側にとじ具のリング部を挿入して保持する表表紙止めを設けるようにしたものである。
【００１０】
また、とじ具とファイル本体の背表紙の外面を被い、その外面との間に見出し部片の挿入が可能であるカバーを設けるようにしたものである。
【発明の効果】
【００１１】
本発明は、とじ具のリング部をファイル本体のリング部挿入孔に挿入した際にリング部又はリング部挿入孔の両端部に形成したつめ部によってその両端部間を係合状態にしているので、この係合によってとじ具をファイル本体に確実に装着することができ、その装着を簡便かつ迅速に行うことができ、しかもとじ具の脱着が容易であって分解、組み立ても簡易にできる。
【００１２】
更に、とじ具は構造が簡略化されているので、板材から切り抜いたり、あるいは型成形等によって簡便に作ることができ、又とじ具を板材から切り抜いて形成する場合、対向状に配する基板部と、この基板部間に渡したリング部相当部と、リング部相当部の両端部を形成する基板部への切込み部と、リング部相当部の両端部に設けたつめ部を有する板状体を形成し、そのリング部相当部を起立状態にすることによってリング部を有するとじ具を形成することができ、作り易い上に経済的に作ることができる。
【００１３】
また、とじ具とファイル本体を溶着又は接着することによって強固に固定することができ、又その溶着や接着をする際に、とじ具はつめ部によってファイル本体に保持されるので、とじ具を手で押さえたり、治具等を用いて押える必要がなく、作業能率がよい。
【００１４】
更に、表表紙側に表表紙止めを設けているので、これによって表表紙が不要に開くのを防止することができる。
【００１５】
また、ファイルの背表紙側にカバーを設け、とじ具の外面と背表紙の外面を被うと共に、その間に形成した間隙に見出し部片を挿入することができる。
【発明を実施するための最良の形態】
【００１６】
ファイル（１）は、ファイル本体（２）のとじ具取付部（３）にとじ具（４）が装着されており、このファイル本体（２）には、表表紙（５）、裏表紙（６）及び背表紙（７）が設けられている。
【００１７】
上記とじ具（４）及びファイル本体（２）は、図示の例ではポリプロピレンで形成されているが、その他ポリエチレン、ポリ塩化ビニル等の腰のあるプラスチック材で形成することができる。
【００１８】
上記とじ具（４）は、一例として下記のようにして形成することができる。
図２に示すように、先ず、上記資材で形成した板材を打ち抜いて、対向状に配置した基板部（８）と、これらの基板部間に渡されたリング部相当部（９）と、このリング部相当部の両端部に位置する基板部に形成した切込み部（１０）と、そのリング部相当部の両端部に設けたつめ部（１１）を有する板状体（１２）を形成する。
【００１９】
次に、図４に示すように、リング部相当部（９）を引上げ起立状態にしてとじ具（４）を形成する。
この場合、リング部相当部（９）は断面略半円状に形成してリング部（１３）を形成しているが、その他の形状、例えば断面略Ｄ字状、楕円状、角状等にして形成してもよい。  また、リング部相当部（９）を起立状態とした際、対向する基板部（８）の対向面が当接するように位置付けられているが、その対向面間は適宜の間隔をもって形成することができる。
【００２０】
このようにして形成したとじ具（４）は、図１に示すように、裏表紙（６）に設けたリング部挿入孔（１４）にリング部（１３）を挿入して取り付けられる。
その際、リング部（１３）の両端部に設けられたつめ部（１１）がリング部挿入孔（１４）の両端部の縁部を挟持するかのようにリング部（１３）とリング部挿入孔（１４）の両端部間を係合状態とするので、とじ具（４）を上記裏表紙（６）のとじ具取付部（３）に装着することができる。
【００２１】
実施例では、とじ具（４）を裏表紙（６）に装着した後、とじ具（４）の適当な個所を超音波溶接にもって溶着（１５）して固着しているが、その他適宜ファイル本体（２）ととじ具（４）の材料に応じて高周波溶接、接着等その他の接合方法を用いて結合することができる。
【００２２】
上記とじ具を型成形の手段によって形成する場合は、図４に示すような形状として一体成形をすることができ、その際リング部（１３）下の基板部（８）に溝（１６）を形成しておくと、射出成形等がし易くなる。
【００２３】
図示の例では、とじ具（４）を裏表紙（６）のとじ具取付部（３）に取り付けているが、このとじ具を背表紙（７）に取り付けるようにしてもよい。
【００２４】
なお、上記つめ部（１１）は、上記のようにリング部（１３）の両端部に設けたり、図８に示すように、リング部挿入孔（１４）側に設けたり（この場合、リング部側にはつめ部を設けない）することができる。
【００２５】
上記表表紙（５）には、適宜上記リング部（１３）が挿入可能な溝（１７）を形成し、この溝内に突出する突部（１８）を形成して表表紙止め（１９）を設け、この表表紙を閉じる際に、その突部（１８）がリング部（１３）の下面に入り込んで表表紙を保持し表表紙が不要に開かないようになっている。
【００２６】
裏表紙（６）のとじ具取付部（３）と背表紙（７）の外面には、図６に示すように、そのとじ具（４）と背表紙（７）部分を被うようにカバー（２０）が設けられており、このカバーによってとじ具（４）及び背表紙（７）部分の外面との間に形成した間隙（２１）に見出し部片（２２）が挿入できるようになっている。
【００２７】
上記とじ具（４）は、そのリング部（１３）が連続していて切れ目がないので、図１及び図４に示すように、例えばクリアポケット（２３）の綴り孔（２４）にスリット（２５）を設け、このスリットを通してクリアポケット（２３）をとじ具（４）に綴るようにしている。
なお、上記とじ具のリング部（１３）は、４個に形成されているが、綴り孔（２４）の数に応じて例えば２個、３個その他の複数に形成することができる。
【図面の簡単な説明】
【００２８】
【図１】本発明の実施例を示す斜面図である。
【図２】とじ具を形成する板状体の平面図である。
【図３】図２に示す板状体の一部拡大平面図である。
【図４】図２に示す板状体のリング相応部を起立させてリングを形成する状態を示す一部拡大斜面図である。
【図５】ファイル本体を開いた状態の一部拡大平面図である。
【図６】ファイルのとじ具取付部を示す拡大断面図である。
【図７】とじ具取付部の拡大断面図である。
【図８】ファイル本体を開いた状態の他の例を示す一部拡大平面図である。
【符号の説明】
【００２９】
１    ファイル
２    ファイル本体
３    とじ具取付部
４    とじ具
５    表表紙
６    裏表紙
７    背表紙
８    基板部
９    リング部相当部
１０    切込み部
１１    つめ部
１２    板状体
１３    リング部
１４    リング部挿入孔
１５    溶着
１６、１７    溝
１８    突部
１９    表表紙止め
２０    カバー
２２    見出し部片
【図１】
2006007644.tif 000003
【図２】
2006007644.tif 000004
【図３】
2006007644.tif 000005
【図４】
2006007644.tif 000006
【図５】
2006007644.tif 000007
【図６】
2006007644.tif 000008
【図７】
2006007644.tif 000009
【図８】
2006007644.tif 000010